(57)【要約】【課題】  想像力を働かせることができて飽きることがなく、自然界にある材料を使用して脳の活性化や癒しの効果を高める介護器具を提供する。【解決手段】ブロック１２は、木製の立方体であって、各面１６にそれぞれ、その面１６に対して垂直な方向に延び、長さ方向にほぼ均一な内径の連結用穴１８を有するものである。連結軸１４は、ブロック１２の連結用穴１８に嵌り合う長手方向にほぼ均一な外径を有し、連結用穴１８の長さのほぼ二倍以下の長さを有するものである。【選択図】図１
0003124766.tif 000002
【実用新案登録請求の範囲】
【請求項１】
木製の立方体であって、各面にそれぞれ、その面に対して垂直な方向に延び、長さ方向にほぼ均一な内径の連結用穴を有するブロックと、
前記ブロックの連結用穴に嵌り合う長手方向にほぼ均一な外径を有し、前記連結用穴の長さのほぼ二倍以下の長さを有する連結軸とを備えたことを特徴とする介護器具。
【請求項２】
請求項１に記載の介護器具において、
前記ブロックの、相互に隣接する面に設けられた前記各連結用穴は、いずれも、相互に交差しない位置に形成されていることを特徴とする介護器具。
【請求項３】
請求項１または２のいずれかに記載の介護器具において、
前記ブロックの、相互に平行な面に設けられた各連結用穴は、いずれも、同一直線上に配置しないことを特徴とする介護器具。
【請求項４】
請求項１乃至３のいずれかに記載の介護器具において、
前記連結軸は、外周面に螺旋状のネジ溝が形成されていることを特徴とする介護器具。
【請求項５】
請求項１乃至４のいずれかに記載の介護器具において、
前記ブロックには、香料が含浸されていることを特徴とする介護器具。
【請求項６】
請求項１乃至５のいずれかに記載の介護器具において、
複数の全ての前記ブロックに設けた連結用穴は、各面に一定の格子模様を描いたとき、そのいずれかの格子点上に配置されることを特徴とする介護器具。
【請求項７】
請求項１乃至６のいずれかに記載の介護器具において、
全ての前記ブロックのいずれかの面には、同一の配列パタンで、前記連結用穴が設けられていることを特徴とする介護器具。
【請求項８】
請求項６乃至７のいずれかに記載の介護器具において、
前記連結軸を、平面上に描いた一定の格子模様の格子点上に、垂直に嵌め込むための軸穴をマトリクス状に配列した基板を設けたことを特徴とする介護器具。
【請求項９】
請求項８に記載の介護器具において、
前記軸穴は、複数種類の異なる内径のものを含むことを特徴とする介護器具。
【考案の詳細な説明】
【技術分野】
【０００１】  本考案は、身体機能や思考力の衰えを回復させる用途に使用される介護器具に関する。
【背景技術】
【０００２】  この分野では、既に次のような技術が紹介されている（特許文献１）。
【特許文献１】  特開２００５−２５３４９６号公報
【考案の開示】
【考案が解決しようとする課題】
【０００３】  既知の従来の技術には、次のような解決すべき課題があった。
ブロック玩具は介護器具としても利用される。身体機能や思考力の衰えを回復させるための玩具的な介護器具は多数あるが、使用法が単純であるため飽きてしまって作業が続かない。また、単純過ぎる作業は人生の豊富な経験を持つ高齢者にとっては人の尊厳を傷つける原因になる。
上記の課題を解決するために、本考案は次のような介護器具等を提供することを目的とする。
イ、  単純な構造を持ち、連続して結合できる器具を多数用意して、これらを組み立てることで複雑な外形に出来上がって行く、想像力を働かせる機能を持つこと。
ロ、  人の手がなじみやすい自然界にある物質であること。
ハ、  香りを含ませることが出来る多孔質であること。
【課題を解決するための手段】
【０００４】  以下の構成は上記の課題を解決するための手段である。
〈構成１〉
木製の立方体であって、各面にそれぞれ、その面に対して垂直な方向に延び、長さ方向にほぼ均一な内径の連結用穴を有するブロックと、上記ブロックの連結用穴に嵌り合う長手方向にほぼ均一な外径を有し、上記連結用穴の長さのほぼ二倍以下の長さを有する連結軸とを備えたことを特徴とする介護器具。【０００５】  〈構成２〉
構成１に記載の介護器具において、上記ブロックの、相互に隣接する面に設けられた上記各連結用穴は、いずれも、相互に交差しない位置に形成されていることを特徴とする介護器具。【０００６】  〈構成３〉
構成１または２のいずれかに記載の介護器具において、上記ブロックの、相互に平行な面に設けられた各連結用穴は、いずれも、同一直線上に配置しないことを特徴とする介護器具。【０００７】  〈構成４〉
構成１乃至３のいずれかに記載の介護器具において、上記連結軸は、外周面に螺旋状のネジ溝が形成されていることを特徴とする介護器具。【０００８】  〈構成５〉
構成１乃至４のいずれかに記載の介護器具において、上記ブロックには、香料が含浸されていることを特徴とする介護器具。【０００９】  〈構成６〉
構成１乃至５のいずれかに記載の介護器具において、複数の全ての上記ブロックに設けた連結用穴は、各面に一定の格子模様を描いたとき、そのいずれかの格子点上に配置されることを特徴とする介護器具。【００１０】  〈構成７〉
構成１乃至６のいずれかに記載の介護器具において、全ての上記ブロックのいずれかの面には、同一の配列パタンで、上記連結用穴が設けられていることを特徴とする介護器具。【００１１】  〈構成８〉
構成６乃至７のいずれかに記載の介護器具において、上記連結軸を、平面上に描いた一定の格子模様の格子点上に、垂直に嵌め込むための軸穴をマトリクス状に配列した基板を設けたことを特徴とする介護器具。また、複数種類の異なる内径のものを含む構成。
【考案を実施するための最良の形態】
【００１２】  本考案は、木工製品の応用であり、複数の部品を組み立てることで身体機能や思考力の衰えを回復させる機能を持つ介護器具である。本考案では自然界にある木材を使用する。単純な構造を持ち、連続して結合できる器具を多数用意して、これらを組み立てることで複雑な外形に出来上がって行く、想像力を働かせる機能を持たせる。木材の多孔質を利用して自然界にある香りをしみ込ませ、作業中に自然の雰囲気で脳の活性化や癒しの効果を果たす。構造が単純であるため思考能力が低下した人にも組立てを試みる気力を湧かせる。組み立てた結果、造形の魅力を感じ更に組立の意欲を湧かせる。複雑な外形に変化して行く課程は思考力を刺激するため、単純すぎて人の尊厳を損なうことがない。木材を使用することから人の手により扱う感触は好感が持てる。しみ込ませた香料は作業中の人の心を和ませ、癒し効果があり作業を長時間持続できる。この効果は人の幼少期においても手先の器用さの訓練や造形の心を養う用途に役立つ。以下、具体例を順に説明する。
【実施例１】
【００１３】  図１は実施例１の介護器具１０を示す斜視図である。
介護器具１０は、ブロック１２と連結軸１４とを備えている。ブロック１２は、木製の立方体であって、各面１６にそれぞれ、その面１６に対して垂直な方向に延び、長さ方向にほぼ均一な内径の連結用穴１８を有するものである。連結軸１４は、ブロック１２の連結用穴１８に嵌り合う長手方向にほぼ均一な外径を有し、連結用穴１８の長さのほぼ二倍以下の長さを有するものである。【００１４】  ブロック１２を木製の立方体にすると、木板を切断して製造するときに生産性が良い。ブロック１２の面１６に対して垂直な方向に延び、長さ方向にほぼ均一な内径の連結用穴１８１８を形成すると、棒状の連結軸１４でブロック１２を相互に隙間なく連結できる。連結軸１４を連結用穴１８の長さのほぼ二倍以下の長さにすると、各ブロック１２を連結軸１４で隙間なく連結できる。【００１５】  なお、木材の加工のやり易さ、組立の際の方法の理解のしやすさから考えてブロックは立方体が良い。立方体の６面に円状の穴を複数個あけるのが最もよい。立方体の各稜の長さは日本人の手の大きさから３０ｍｍ程度が適当である。各稜は丸みを帯びた面取りを行なうと使用者の手になじみ易い。円柱状の連結軸は木製がよい。連結用穴に少し摩擦がある程度の太さがよい。
【実施例２】
【００１６】  図２はブロックを拡大した断面図である。
ブロック１２の、相互に隣接する面１６−１、１６−２に設けられた各連結用穴１８−１，１８−２は、いずれも、相互に交差しない位置に形成されている。隣接する面１６−１、１６−２に設けられた各連結用穴１８−１，１８−２は相互に直交する。各連結用穴１８−１，１８−２を相互に交差しない位置に形成すると、各連結用穴が独立する。従って、複数の連結軸１４−１，１４−２がブロック１２の内部で交差して衝突するのを防止できる。【００１７】  また、ブロック１２の、相互に平行な面１６−１、１６−３に設けられた各連結用穴１８−１，１８−３は、いずれも、同一直線上に配置しない。相互に平行な面１６−１、１６−３に設けられた各連結用穴１８−１，１８−３は、平行かまたは同一直線上に配置される。同一直線上に配置しなければ、複数の連結軸１４−１，１４−３がブロック１２内部で衝突するのを防止できる。
【実施例３】
【００１８】  図３は連結軸を拡大した側面図である。
連結軸１４は、外周面に螺旋状のネジ溝２０が形成されている。ブロック１２同士を接続するときは、連結軸１４が比較的固く連結用穴１８と嵌り合うことが好ましい。外周面に螺旋状のネジ溝２０が形成されていると、連結軸１４を連結用穴１８から回しながら引き抜くことができる。また、ブロック１２には、香料が含浸されているとよい。ブロック１２は木製なので、香料を含浸させて使用することができる。
【実施例４】
【００１９】  図４はブロックの正面図である。
複数の全てのブロック１２に設けた連結用穴１８は、各面１６に一定の格子模様２２を描いたとき、そのいずれかの格子点２４上に配置される。全てのブロック１２に一定の格子模様２２を描いたとき、そのいずれかの格子点２４上に連結用穴１８を配置すると、対応する位置に連結用穴１８のあるブロック１２を重ね合わせて連結できる。また、全てのブロック１２のいずれかの面１６には、同一の配列パタンで、連結用穴１８が設けられている。どのブロック１２も同一の配列パタンで、連結用穴１８が設けられた面１６を利用して、重ね合わせて連結できる。
【実施例５】
【００２０】  図５と図６は基板の斜視図である。
連結軸１４を、平面上に描いた一定の格子模様２２の格子点２４上に、垂直に嵌め込むための軸穴２６をマトリクス状に配列した基板２８を設けるとよい。基板２８の上に、連結軸１４を用いてブロック１２を固定し、基板２８の上にブロック１２を用いた構造物を組み立てることができる。また、基板２８の上にブロック１２を整列させ固定して片づけることができる。また、図６の２重丸の部分は、他の部分の軸穴よりも大径の軸穴を形成する部分である。大径の軸穴の位置は任意である。連結軸１４も太いものと細いもの用意するとよい。このように、基板２８に複数種類の異なる内径の軸穴２６を形成すると、ぴったりと連結軸１４の嵌る軸穴２６を見つける作業が、手の機能回復等に非常に効果的である。
【図面の簡単な説明】
【００２１】
【図１】  実施例１の介護器具１０を示す斜視図である。
【図２】  ブロックを拡大した断面図である。
【図３】  連結軸を拡大した側面図である。
【図４】  ブロックの正面図である。
【図５】  ブロックを乗せた基板の斜視図である。
【図６】  基板の斜視図である。
【符号の説明】
【００２２】１０  介護器具
１２  ブロック
１４  連結軸
１６  面
１８  連結用穴
２０  ネジ溝
２２  格子模様
２４  格子点
２６  軸穴
２８  基板
【図１】
0003124766.tif 000003
【図２】
0003124766.tif 000004
【図３】
0003124766.tif 000005
【図４】
0003124766.tif 000006
【図５】
0003124766.tif 000007
【図６】
0003124766.tif 000008